(57)【要約】ガイドレール（１２）の取付けブラケットは、取付け座（１８）に固定される第一および第二のクリップ（２０Ａ、２０Ｂ）を有する。第一および第二のクリップ（２０Ａ、２０Ｂ）は、該クリップがガイドレール（１２）のフランジ（３８）の周囲を受ける際にクランプ寸法（３２）を画定する。取付け座（１８）は昇降路（１４）に固定される。ボルト（２２）およびナット（２４）は、第一および第二のクリップ（２０Ａ、２０Ｂ）をフランジ（３８）の周囲で互いに間隔を隔てた関係で調整可能に固定する。クランプ距離（３２）を調整することにより、共通寸法の取付けブラケット（１０）を用いて種々の寸法を有するガイドレール（１２）を取り付けることが可能になる。また、クリップは、昇降路（１４）内のガイドレール（１２）を垂直にすることを容易にするように、取付け座に対して選択的に移動可能である。
2007523022.tif 000002
【特許請求の範囲】
【請求項１】
エレベータシステムのガイドレール（１２）のための取付けブラケットアッセンブリ（１０）であって、
昇降路内に固定可能な取付け座（１８）と、
前記ガイドレール（１２）を固定するとともに、調整可能なクランプ寸法（３２）を選択的に画定する第一および第二のクリップ（２０Ａ、２０Ｂ）と、
を有し、
前記第一および第二のクリップ（２０Ａ、２０Ｂ）の各々は、前記取付け座（１８）に固定可能であることを特徴とする取付けブラケットアッセンブリ。
【請求項２】
各クリップ（２０Ａ、２０Ｂ）は、前記ガイドレール（１２）に固定可能な第一のセグメント（２８）と、前記取付け座（１８）に固定可能な第二のセグメント（３０）と、を有することを特徴とする請求項１記載の取付けブラケットアッセンブリ（１０）。
【請求項３】
前記第一のセグメント（２８）は、Ｃ字形の部分をそれぞれ有し、前記Ｃ字形の部分の間の距離により、前記クランプ寸法（３２）が画定されることを特徴とする請求項２記載の取付けブラケットアッセンブリ（１０）。
【請求項４】
前記クランプ寸法（３２）は、前記ガイドレール（１２）を受けるように選択的に調整可能であることを特徴とする請求項３記載の取付けブラケットアッセンブリ（１０）。
【請求項５】
前記第一および第二のクリップ（２０Ａ、２０Ｂ）を互いに対して固定位置に固定するように、前記第一のセグメント（２８）の各々における少なくとも一つの開口部（３４）と、前記開口部（３４）に少なくとも部分的に受容される締結部材と、を有する請求項２記載の取付けブラケットアッセンブリ（１０）。
【請求項６】
前記第二のセグメント（３０）の各々は、前記クリップ（２０Ａ、２０Ｂ）を前記取付け座（１８）に固定するように、少なくとも一つの開口部（３６）と、前記開口部（３６）に少なくとも部分的に受容される固定部材（５０）と、を有することを特徴とする請求項２記載の取付けブラケットアッセンブリ（１０）。
【請求項７】
前記開口部（３６）は、前記取付け座（１８）に対する前記クリップ（２０Ａ、２０Ｂ）の選択的な移動を許容するように、前記開口部（３６）内に受容される前記固定部材（５０）の一部分よりも大きな少なくとも一つの寸法を有することを特徴とする請求項６記載の取付けブラケットアッセンブリ（１０）。
【請求項８】
前記第一および第二のクリップ（２０Ａ、２０Ｂ）は、互いに鏡像であることを特徴とする請求項１記載の取付けブラケットアッセンブリ（１０）。
【請求項９】
前記第一および第二のクリップ（２０Ａ、２０Ｂ）は、前記ガイドレール（１２）の垂直方向の移動時に、実質的に垂直のままであることを特徴とする請求項１記載の取付けブラケットアッセンブリ（１０）。
【請求項１０】
エレベータかご（１５）と、
前記かごの移動を案内するための少なくとも一つのガイドレール（１２）と、
昇降路内で前記ガイドレールを固定する取付けブラケットアッセンブリ（１０）と、
を有するエレベータシステム（１１）において、
前記取付けブラケットアッセンブリは、固定位置に固定可能な取付け座（１８）と、前記取付け座に調整可能に固定されるとともに、前記ガイドレール（１２）を前記取付けブラケットアッセンブリに固定するための調整可能なクランプ寸法（３２）を画定する第一および第二のクリップ（２０Ａ、２０Ｂ）と、を有することを特徴とするエレベータシステム（１１）。
【請求項１１】
各クリップ（２０Ａ、２０Ｂ）は、前記ガイドレール（１２）に固定可能な第一のセグメント（２８）と、前記取付け座（１８）に固定可能な第二のセグメント（３０）と、を有し、かつ互いに対向してその間にクランプ寸法（３２）を画定する開放部分を含むことを特徴とする請求項１０記載のエレベータシステム（１０）。
【請求項１２】
前記クランプ寸法（３２）は、前記ガイドレール（１２）を受けるように調整可能であることを特徴とする請求項１１記載のアッセンブリ（１０）。
【請求項１３】
前記第一および第二のクリップ（２０Ａ、２０Ｂ）により前記ガイドレール（１２）の周囲をクランプ締めするように、前記第一のセグメント（２８）の開口部（３４）と、前記開口部に少なくとも部分的に受容される締結部材と、を備える請求項１１記載のアッセンブリ（１０）。
【請求項１４】
前記第二のセグメント（３０）の各々は、前記クリップ（２０Ａ、２０Ｂ）を前記取付け座（１８）に固定するように、少なくとも一つの開口部（３６）と、前記開口部（３６）に少なくとも部分的に受容される固定部材（５０）と、を有することを特徴とする請求項１１記載のアッセンブリ（１０）。
【請求項１５】
前記取付け座（１８）に対して前記クリップ（２０Ａ、２０Ｂ）の選択的な移動を許容するように、前記開口部は、前記開口部に受容される前記固定部材の一部分よりも大きいことを特徴とする請求項１４記載のアッセンブリ（１０）。
【請求項１６】
昇降路内にガイドレール（１２）を据え付ける方法であって、
ａ）ガイドレール（１２）の周囲に第一のクリップ（２０Ａ）および第二のクリップ（２０Ｂ）を位置決めするステップと、
ｂ）前記第一および第二のクリップ（２０Ａ、２０Ｂ）を取付け位置に移動し、かつ前記第一および第二のクリップ（２０Ａ、２０Ｂ）を取付け座（１８）に固定するステップと、
ｃ）前記取付け座（１８）を固定位置に固定するステップと、
を含む昇降路内にガイドレールを据え付ける方法。
【請求項１７】
前記クリップが取付け位置に配設された後に、前記昇降路内の前記ガイドレール（１２）を位置調整することを含む請求項１６記載のガイドレール据え付け方法。
【請求項１８】
前記第一および第二のクリップ（２０Ａ、２０Ｂ）を前記ガイドレール（１２）に沿って長手方向に前記取付け位置までスライドさせることを含む請求項１７記載の方法。
【請求項１９】
前記第一および第二のクリップ（２０Ａ、２０Ｂ）の間のクランプ寸法（３２）を調整することを含む請求項１６記載のガイドレール据え付け方法。
【請求項２０】
前記ガイドレール（１２）の横方向の位置決めを許容するように、前記取付け座（１８）に対して前記第一および第二のクリップ（２０Ａ、２０Ｂ）を横方向に調整することを含む請求項１６記載のガイドレール据え付け方法。
【請求項２１】
前記取付け座（１８）に対して前記第一および第二のクリップ（２０Ａ、２０Ｂ）を移動させることによって前記ガイドレール（１２）を位置調整することを含む請求項２０記載のガイドレール据え付け方法。
【発明の詳細な説明】
【技術分野】
【０００１】
本発明は、一般的に、エレベータまたはカウンターウエイト用ガイドレールを昇降路内に取り付けるための取付けアッセンブリに関する。
【背景技術】
【０００２】
通常、エレベータシステムは、昇降路内に取り付けられたガイドレールを備え、該ガイドレールは、ビルディングの各階間の移動時にエレベータかご、およびカウンターウエイトを案内する。ガイドレールは、取付けブラケットによって昇降路壁または構造用ビームに固定される。取付けブラケットは、ガイドレールを支持するようにガイドレールに沿って互いに一定の間隔を隔てて設けられ、十分に強固な取り付けを付与する。
【０００３】
ガイドレールは、通常、取付けブラケットに固定されるフランジを備えたＴ字形のビームであり、取付けブラケットは、壁または構造用ビームに固定される。取付けブラケットは、通常、Ｚ字形のレールクリップを有し、このレールクリップが、昇降路内の壁または他の構造用ビームに固定されたガイドレールの部分と重なる。取付けブラケットおよび二つのレールクリップは、昇降路内の内壁または構造用ビームに対してガイドレールのフランジ部分を固定、捕捉かつクランプ締めする。
【発明の開示】
【発明が解決しようとする課題】
【０００４】
据え付けの際は、ガイドレールを適正な取付け位置に移動させた後に、ブラケットを固定して、ガイドレールを所定の位置に固定することができる。ブラケットは、ガイドレールの動きによって曲がることがあり、これにより、ガイドレールに対して望ましくないクリップのねじれやロックが生じてしまう。加えて、通常、異なる寸法のガイドレールに対しては異なる寸法のブラケットが要求される。さらに、位置調整（アライメント）のためのガイドレールの移動、およびガイドレールにおける不整合性を補正することは、従来のＺ字形のレールクリップを用いて対応することは容易ではない。
【０００５】
したがって、異なる寸法のガイドレールに対応するように調節可能であるとともに、昇降路内の据え付けを容易にするようにガイドレールに対して移動可能に固定される取付けブラケットを開発および設計することが望ましい。
【課題を解決するための手段】
【０００６】
本発明は、ガイドレールを昇降路内で固定するための取付けブラケットアッセンブリであり、該アッセンブリは取付け座に固定される二つの同形状かつ反対向きのクリップを有する。
【０００７】
各取付けブラケットは、所望の位置調整された位置にガイドレールを保持するように、ガイドレールのフランジ部分をクランプ締めする。取付けブラケットは、取付け座に固定される第一および第二のクリップを有する。取付け座は、昇降路壁または他の昇降路内の構造に固定される。第一および第二のクリップは、ガイドレールのフランジがクランプ締めされるクランプ寸法を画定するように、間隔を隔てた関係で固定される。クランプ寸法は、フランジの幅に対応して調整可能である。取付けブラケットは、ガイドレールを柱の方向に捕捉するが、なお垂直方向の移動を許容する。調整可能なクランプ寸法により、各種寸法のガイドレールを単一の寸法の取付けブラケットを用いて取り付けることが可能になる。
【０００８】
したがって、本発明は、複数のガイドレール寸法に対応可能であるとともに、昇降路内の据え付けを容易にするためにガイドレールに対して移動可能に固定される調整可能な取付けブラケットを提供する。
【０００９】
本発明の様々な特徴および利点は、以下における現在において好ましい実施例の詳細な説明によって当業者に明らかとなる。
【発明を実施するための最良の形態】
【００１０】
図１を参照すると、エレベータシステム１１が概略的に図示されており、該システムは、ガイドレール１２に沿って昇降路１７内を移動可能なエレベータかご１５を含む。ガイドレール１２は、取付けブラケットアッセンブリ１０により昇降路１７の壁部１４内の構造部１６に固定されている。
【００１１】
図２〜図５を参照すると、昇降路壁１４およびいくつかの構造部１６を備える昇降路１７の一部分が図示されており、該構造部１６は、一実施例では従来のビームからなる。取付けブラケットアッセンブリ１０は、ガイドレール１２を所望の位置調整された位置に保持するように、ガイドレール１２のフランジ部分３８をクランプ締めする。各取付けブラケットアッセンブリ１０は、少なくとも一つの締結具５０によって取付け座１８に固定される第一および第二のクリップ２０Ａ、２０Ｂを有する。取付け座１８は、昇降路壁１４内の構造部１６に取り付けられている。取付け座１８は、ガイドレール１２を位置調整された位置に固定するように、昇降路１７内の任意の固定構造に取り付けられてもよい。
【００１２】
第一および第二のクリップ２０Ａ、２０Ｂは、ガイドレール１２のフランジ部分３８を該クリップ間にクランプ締めするように、互いに対して固定されている。本実施例では、ボルト２２およびナット２４は、クリップ２０Ａ、２０Ｂを互いに対して固定しており、これにより、該クリップはフランジ３８をクランプ締めするように係合する。締結具５０は、第一および第二のクリップ２０Ａ、２０Ｂを取付け座１８に固定する。取付けブラケットアッセンブリ１０の各側に一種類の形状のクリップ２０Ａ、２０Ｂのみが必要となるように、クリップ２０Ａ、２０Ｂは、互いに鏡像であることが好ましい。
【００１３】
図４を参照すると、第一および第二のクリップ２０Ａ、２０Ｂ間のクランプ寸法３２は、第一および第二のクリップ２０Ａ、２０Ｂを互いに間隔を隔てた関係に保持するボルト２２およびナット２４を選択的に締め付けることによって調整可能である。クランプ寸法３２は、ガイドレール１２のフランジ３８の幅に相当する。クランプ寸法３２を調整することにより、単一の寸法および形状のクリップ、または取付けブラケットアッセンブリ１０全体で種々の寸法のガイドレール１２に対応することができる。さらに、可変のクランプ寸法３２によって、ガイドレール１２に対してクリップを移動させることが容易となり、これにより、昇降路１７内におけるガイドレール１２の据え付け、調整およびアライメントが容易になる。
【００１４】
各クリップ２０Ａ、２０Ｂは、ガイドレール１２のフランジ３８の外周をクランプ締めして取り付けるための第一のセグメント２８Ａ、２８Ｂを備える。各クリップ２０Ａ、２０Ｂの第一のセグメント２８Ａ、２８Ｂは、概ねＣ字形状のクランプ部分４２Ａ、４２Ｂを有する。各クランプ部分４２Ａ、４２Ｂの開放端部４８Ａ、４８Ｂは、カップ部分が少なくとも部分的にフランジ３８を受ける際に互いに向き合う。クランプ部分４２Ａ、４２Ｂ間の距離により、クランプ寸法３２が画定される。
【００１５】
図示された実施例において、クランプ部分４２Ａ、４２Ｂは、リンク部分４６Ａ、４６Ｂに移行している。各リンク部分４６Ａ、４６Ｂは、対向する面を有する四角形の平坦な部材からなる。リンク部分４６Ａ、４６Ｂは、ボルト２２を受ける開口部３４をそれぞれ備える。
【００１６】
第一のセグメント２８Ａ、２８Ｂは、フランジ３８を取り付けるための固定機能を付与する。第二のセグメント３０Ａ、３０Ｂにより、対応する取付け座１８にクリップ２０Ａ、２０Ｂを調整可能に固定することが可能となる。第二のセグメント３０Ａ、３０Ｂは、互いに重なり合う概ね四角形の板である。
【００１７】
第二のセグメント３０Ａ、３０Ｂは、互いに整列するとともに、取付け座１８の開口部４４と整列する開口部３６Ａ、３６Ｂを備える。締結具５０は、第一および第二のクリップ２０Ａ、２０Ｂを取付け座１８に固定するように、少なくとも部分的に各開口部３６Ａ，３６Ｂ，４４内に延びている。開口部３６Ａ、３６Ｂは、取付け座１８に対するクリップ２０Ａ、２０Ｂの横方向の調整に適合するように、締結具５０の外側寸法（すなわち幅）より大きなスロットであることが好ましい。スロット（長孔）が図示されているが、開口部３６Ａ、３６Ｂは、第一および第二のクリップ２０Ａ、２０Ｂ間の間隔を隔てた関係、したがって、クランプ寸法３２の調整を許容する任意の形状であってもよい。
【００１８】
再び図３を参照すると、クリップ２０Ａ、２０Ｂの調整可能な形態により、昇降路１７内の据え付け時における、取付けブラケットアッセンブリ１０（または少なくともクリップ）のガイドレール１２に沿った長手方向の選択的な滑動（スライド）移動が可能となる。クリップは、対応するガイドレール１２のフランジ３８に緩く取り付けられており、対応する取付け座１８を昇降路１７内で固定する（または固定するべき）場所に対応している取付け位置まで移動される。
【００１９】
取付けブラケット１０は、長手方向のスライドを可能にするためクランプ幅３２がフランジ３８より大きくなるように、ボルト２２およびナット２４を選択的に調整することによって移動可能に固定される。取付け座１８を固定し、取付けブラケットアッセンブリ１０をガイドレール１２に対してさらに長手方向に移動させる必要がない場合には、クリップ２０Ａ、２０Ｂとフランジ３８との間に相対移動が生じないように、ボルト２２およびナット２４を締め付け、クリップ２０Ａ、２０Ｂでフランジ３８をきつくクランプ締めする。
【００２０】
フランジ３８に対してクリップ２０Ａ、２０Ｂを密に固定した状態でも、例えばレールを垂直にするためのガイドレール１２の横方向の移動は長い開口部３６Ａ、３６Ｂによって依然として可能である。締結具５０を適宜に調整することによって、両方のクリップ２０Ａ、２０Ｂおよびレール１２を取付け座１８に対して横方向に移動させることができる。ガイドレール１２を所望のアライメント（位置調整された位置）に配置するための最終調整が行われると、ブラケットアッセンブリの一部分を一緒に固定するとともにガイドレール１２を定位置に固定するように、締結具５０が締め付けられる。ガイドレール１２の所望のアライメントに対するその後の調整および修正は、ガイドレール１２の付加的な移動を許容するように、適当な締結具５０を緩めることによって行うことができる。
【００２１】
様々の順序の組み付けステップを用いることができることに留意されたい。例えば、クリップがフランジ３８を受ける前に、全ての取付け座１８を位置決めおよび固定してもよい。据え付けまたは保守作業の過程で必要な限り、締結具５０，２２を繰り返し調整してもよい。
【００２２】
前記の説明は例示的なものであり、具体的な仕様ではない。発明は図示的な方法で説明されており、用いられた用語はその性格上、制限よりは説明を目的としたものである。上記の教示に照らして本発明の多くの改良および変形が可能である。本発明の好ましい実施例が開示されたが、当業者であれば一定の改良が発明の範囲内にあることを認識されるであろう。本発明は添付の各請求項の範囲内で、具体的に説明された以外の方法で実施され得ることは当然である。この理由により、本発明の真の範囲および内容を決定するために、以下の請求の範囲を検討されたい。
【図面の簡単な説明】
【００２３】
【図１】図１はエレベータシステムの概略図である。
【図２】図２は本発明により設計された例示的な取付けブラケットによって昇降路内に取り付けられたガイドレールの概略図である。
【図３】図３はガイドレールに取り付けられた図２の例示的な取付けブラケットの斜視図である。
【図４】図４はガイドレールに取り付けられた例示的な取付けブラケットの上面図である。
【図５】図５は例示的な取付けブラケットの分解図である。
【図１】
2007523022.tif 000003
【図２】
2007523022.tif 000004
【図３】
2007523022.tif 000005
【図４】
2007523022.tif 000006
【図５】
2007523022.tif 000007
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
エレベータシステムのガイドレール（１２）のための取付けブラケットアッセンブリ（１０）であって、
昇降路内に固定可能な取付け座（１８）と、
前記ガイドレール（１２）を固定するとともに、調整可能なクランプ寸法（３２）を選択的に画定するための互いに固定可能な第一および第二のクリップ（２０Ａ、２０Ｂ）と、
を有し、
前記第一および第二のクリップ（２０Ａ、２０Ｂ）の各々は、前記取付け座（１８）に固定可能であることを特徴とする取付けブラケットアッセンブリ。
【請求項２】
各クリップ（２０Ａ、２０Ｂ）は、前記ガイドレール（１２）に固定可能な第一のセグメント（２８）と、前記取付け座（１８）に固定可能な第二のセグメント（３０）と、を有することを特徴とする請求項１記載の取付けブラケットアッセンブリ（１０）。
【請求項３】
前記第一のセグメント（２８）は、Ｃ字形の部分をそれぞれ有し、前記Ｃ字形の部分の間の距離により、前記クランプ寸法（３２）が画定されることを特徴とする請求項２記載の取付けブラケットアッセンブリ（１０）。
【請求項４】
前記クランプ寸法（３２）は、前記ガイドレール（１２）を受けるように選択的に調整可能であることを特徴とする請求項３記載の取付けブラケットアッセンブリ（１０）。
【請求項５】
前記第一および第二のクリップ（２０Ａ、２０Ｂ）を互いに対して固定位置に固定するように、前記第一のセグメント（２８）の各々における少なくとも一つの開口部（３４）と、前記開口部（３４）に少なくとも部分的に受容される締結部材と、を有する請求項２記載の取付けブラケットアッセンブリ（１０）。
【請求項６】
前記第二のセグメント（３０）の各々は、前記クリップ（２０Ａ、２０Ｂ）を前記取付け座（１８）に固定するように、少なくとも一つの開口部（３６）と、前記開口部（３６）に少なくとも部分的に受容される固定部材（５０）と、を有することを特徴とする請求項２記載の取付けブラケットアッセンブリ（１０）。
【請求項７】
前記開口部（３６）は、前記取付け座（１８）に対する前記クリップ（２０Ａ、２０Ｂ）の選択的な移動を許容するように、前記開口部（３６）内に受容される前記固定部材（５０）の一部分よりも大きな少なくとも一つの寸法を有することを特徴とする請求項６記載の取付けブラケットアッセンブリ（１０）。
【請求項８】
前記第一および第二のクリップ（２０Ａ、２０Ｂ）は、互いに鏡像であることを特徴とする請求項１記載の取付けブラケットアッセンブリ（１０）。
【請求項９】
前記第一および第二のクリップ（２０Ａ、２０Ｂ）は、前記ガイドレール（１２）の垂直方向の移動時に、実質的に垂直のままであることを特徴とする請求項１記載の取付けブラケットアッセンブリ（１０）。
【請求項１０】
エレベータかご（１５）と、
前記かごの移動を案内するための少なくとも一つのガイドレール（１２）と、
昇降路内で前記ガイドレールを固定する取付けブラケットアッセンブリ（１０）と、
を有するエレベータシステム（１１）において、
前記取付けブラケットアッセンブリは、固定位置に固定可能な取付け座（１８）と、前記取付け座および互いに対して調整可能に固定されるとともに、調整可能なクランプ寸法（３２）を画定し、前記ガイドレール（１２）を前記取付けブラケットアッセンブリに固定するための第一および第二のクリップ（２０Ａ、２０Ｂ）と、を有することを特徴とするエレベータシステム（１１）。
【請求項１１】
各クリップ（２０Ａ、２０Ｂ）は、前記ガイドレール（１２）に固定可能な第一のセグメント（２８）と、前記取付け座（１８）に固定可能な第二のセグメント（３０）と、を有し、かつ互いに対向してその間にクランプ寸法（３２）を画定する開放部分を含むことを特徴とする請求項１０記載のエレベータシステム（１０）。
【請求項１２】
前記クランプ寸法（３２）は、前記ガイドレール（１２）を受けるように調整可能であることを特徴とする請求項１１記載のアッセンブリ（１０）。
【請求項１３】
前記第一および第二のクリップ（２０Ａ、２０Ｂ）により前記ガイドレール（１２）の周囲をクランプ締めするように、前記第一のセグメント（２８）の開口部（３４）と、前記開口部に少なくとも部分的に受容される締結部材と、を備える請求項１１記載のアッセンブリ（１０）。
【請求項１４】
前記第二のセグメント（３０）の各々は、前記クリップ（２０Ａ、２０Ｂ）を前記取付け座（１８）に固定するように、少なくとも一つの開口部（３６）と、前記開口部（３６）に少なくとも部分的に受容される固定部材（５０）と、を有することを特徴とする請求項１１記載のアッセンブリ（１０）。
【請求項１５】
前記取付け座（１８）に対して前記クリップ（２０Ａ、２０Ｂ）の選択的な移動を許容するように、前記開口部は、前記開口部に受容される前記固定部材の一部分よりも大きいことを特徴とする請求項１４記載のアッセンブリ（１０）。
【請求項１６】
昇降路内にガイドレール（１２）を据え付ける方法であって、
ａ）第一のクリップ（２０Ａ）を第二のクリップ（２０Ｂ）に対して固定することにより、ガイドレール（１２）の周囲に前記第一のクリップ（２０Ａ）および前記第二のクリップ（２０Ｂ）を位置決めするステップと、
ｂ）前記第一および第二のクリップ（２０Ａ、２０Ｂ）を取付け位置に移動するステップと、
ｃ）前記第一および第二のクリップ（２０Ａ、２０Ｂ）を取付け座（１８）に固定するステップと、
ｄ）前記取付け座（１８）を固定位置に固定するステップと、
を含む昇降路内にガイドレールを据え付ける方法。
【請求項１７】
前記クリップが取付け位置に配設された後に、前記昇降路内の前記ガイドレール（１２）を位置調整することを含む請求項１６記載のガイドレール据え付け方法。
【請求項１８】
前記第一および第二のクリップ（２０Ａ、２０Ｂ）を前記ガイドレール（１２）に沿って長手方向に前記取付け位置までスライドさせることを含む請求項１７記載の方法。
【請求項１９】
前記第一および第二のクリップ（２０Ａ、２０Ｂ）の間のクランプ寸法（３２）を調整することを含む請求項１６記載のガイドレール据え付け方法。
【請求項２０】
前記ガイドレール（１２）の横方向の位置決めを許容するように、前記取付け座（１８）に対して前記第一および第二のクリップ（２０Ａ、２０Ｂ）を横方向に調整することを含む請求項１６記載のガイドレール据え付け方法。
【請求項２１】
前記取付け座（１８）に対して前記第一および第二のクリップ（２０Ａ、２０Ｂ）を移動させることによって前記ガイドレール（１２）を位置調整することを含む請求項２０記載のガイドレール据え付け方法。
【国際調査報告】
2007523022.tif 000008